(57)【特許請求の範囲】
【請求項１】
前面カバー、後面カバーを含み、該前面カバーおよび後面カバーが矩形のプレート状であるピンによる係止、固定構造であって、前面カバーおよび後面カバーの４つの辺縁部位に、対応して相互に嵌め込まれ、接続する突起およびくぼみが設けられ、該突起の中央に孔が、前面カバーおよび後面カバーの前記４つの辺縁部位と平行に、かつ前記突起が突出する方向に対して垂直に、延伸するように設けられ、前記突起および前記くぼみをかみ合わせることで前面カバーと後面カバーを隙間なく結合し、４本の係止ピンを前記孔に挿入すると前記４本の係止ピンは前記４つの辺縁部位と平行に配置されて矩形を形成し、前面カバーおよび後面カバーを係止することを特徴とする構造。
【請求項２】
後面カバーのくぼみの幅が突起の幅より小さく、４つの角がＬ型のくぼみであり；前面カバーの突起の幅がくぼみの幅より小さく、４つの角がＬ型の突起であることを特徴とする、請求項１に記載のピンによる係止、固定構造。
【請求項３】
前面カバーおよび後面カバーを一体に結合するとき、前面カバーの突起部位の孔が後面カバーの突起部位の孔と同軸であることを特徴とする、請求項１に記載のピンによる係止、固定構造。
【請求項４】
前面カバーのＬ型突起部位に２つの孔を有し、２つの孔の孔路が合流しないことを特徴とする、請求項１に記載のピンによる係止、固定構造。
【請求項５】
各箇所の突起の孔は、両端がいずれも４５°に面取り加工されることを特徴とする、請求項１に記載のピンによる係止、固定構造。
【請求項６】
孔と係止ピンとの間に、滑らせるシリコーンゴムを有することを特徴とする、請求項１に記載のピンによる係止、固定構造。
【請求項７】
係止ピンの直径がΦ２．５ｍｍであり、係止ピンと孔との間がすきま嵌めであり、片側公差が０．１ｍｍであることを特徴とする、請求項１に記載のピンによる係止、固定構造。
【請求項８】
ピンによる係止、固定構造の取付方法であって、対応して設置される前面カバーおよび後面カバーの位置を合わせて結合し、前面カバーの突起部位を後面カバーのくぼみ部位に嵌め込む；圧着すると、各辺縁の突起部位の孔は、相互にその軸方向に対して１本の直線となる；１本の係止ピンを液状シリコーンゴムに浸して、孔に挿入する；順番に４本の係止ピンを挿入する；平らに静置し、シリコーンゴムが硬化するのを待ち、
係止ピンの取付完了後、冷却してから、孔内の係止ピンの両端に再度液状シリコーンゴムを充填して密封し、自然冷却して成型することを特徴とする方法。
【請求項９】
係止ピンの直径がΦ２．５ｍｍであり、係止ピンと孔との間がすきま嵌めであり、片側公差が０．１ｍｍであることを特徴とする、請求項８に記載のピンによる係止、固定構造の取付方法。
【発明の詳細な説明】
【技術分野】
【０００１】
本発明は、ＬＥＤ灯筐体の組立構造に関し、特に深海の高圧環境下で使用するＬＥＤ照明灯の組立構造に関する。
【背景技術】
【０００２】
科学技術の進歩に伴い、深海または宇宙空間は人々にとって到達できない神秘的な場所ではなくなり、潜水艦技術および宇宙技術の発展に伴い、海洋探知の深度は次第に深く、宇宙空間の探知の範囲も次第に大きくなっている。深海環境における探索の最大の問題は、深海環境の可視度が低く、レーダ探知が行き届かないため、調査、捜索、定位における障害となることであり、一般的な照明灯は深海環境下の極端な環境に明らかに適さない。宇宙空間における探索の問題は、様々な気圧環境に見舞われることである。
【０００３】
ＬＥＤ技術は、２１世紀に最も注目される光源技術として、各分野で応用されている。各種の様々な使用需要に対応する照明、指示、投影、表示に用いられる光源が採用、製造されている。
【０００４】
本発明の係る組立構造は、ＬＥＤ照明灯の筐体に用いる固定構造である。既存の灯筐体は、組み立てる必要がある構造にタッピングを行い、ボルト、ネジおよびナットにより取付、固定を完成する。しかし、この構造は筐体に明らかなタッピング孔、およびむき出しの固定位置が残り、さらにある構造では取付位置の辺縁に、ネジ、ナットによる取付に適した比較的薄い厚さの接続台を設計する必要がある。一般の環境下における使用では、問題は大きくないが、極端な環境で使用することを考慮する場合、例えば深海内または宇宙空間での使用は、筐体の接続が簡潔であるかどうか、接続位置の局部応力が材料の降伏限度を安全に制限しているかどうか、などの問題を考慮する必要がある。
【発明の概要】
【発明が解決しようとする課題】
【０００５】
本発明は、以上の状況に対して、極端な環境に適用される照明灯筐体の組立構造を示している。該構造は挿入式の係止ピンを採用し、筐体を組み立て、固定する。係止は安定、確実であり、外観は簡潔なままである。
【課題を解決するための手段】
【０００６】
本発明の係るピンによる係止、固定構造は、前面カバー、後面カバーを含み、該前面カバーおよび後面カバーは矩形のプレート状である。前面カバーおよび後面カバーの４つの辺縁部位に、対応して相互に嵌め込まれ、接続する突起およびくぼみが設けられ、該突起部位の中央に孔が設けられ、４本の係止ピンを孔に挿入して、前面カバーおよび後面カバーを係止することを特徴とする。
【０００７】
後面カバーのくぼみの幅は突起の幅より小さく、４つの角はＬ型のくぼみである。前面カバーの突起の幅はくぼみの幅より小さく、４つの角はＬ型の突起である。
【０００８】
前面カバーおよび後面カバーを一体に結合するとき、前面カバーの突起部位の孔は後面カバーの突起部位の孔と同軸である。
【０００９】
前面カバーのＬ型突起部位に２つの孔を有し、２つの孔の孔路は合流しない。
【００１０】
各箇所の突起の孔は、両端がいずれも４５°に面取り加工される。
【００１１】
孔と係止ピンとの間に、滑らせるシリコーンゴムを有する。
【００１２】
係止ピンの直径はΦ２．５ｍｍである。係止ピンと孔との間はすきま嵌めであり、片側公差は０．１ｍｍである。
【００１３】
ピンによる係止、固定構造の取付方法であって、対応して設置される前面カバーおよび後面カバーの位置を合わせて結合し、前面カバーの突起部位を後面カバーのくぼみ部位に嵌め込む；圧着すると、各辺縁の突起部位の孔は、相互にその軸方向に対して１本の直線となる；１本の係止ピンを液状シリコーンゴムに浸し、孔に挿入する；順番に４本の係止ピンを挿入する；平らに静置し、シリコーンゴムが硬化するのを待つことを特徴とする方法。
【００１４】
係止ピンの取付完了後、冷却してから、孔内の係止ピンの両端に再度液状シリコーンゴムを充填して密封し、自然冷却して成型する。
【００１５】
係止ピンの直径はΦ２．５ｍｍである。係止ピンと孔との間はすきま嵌めであり、片側公差は０．１ｍｍである。
【００１６】
本発明は、極端な環境に適用される照明灯筐体の固定構造である。該固定構造は、組み立てる必要がある前面カバー、後面カバーの接触部位に、相互に嵌め込み、接続することができる突起およびくぼみを設計し、突起部位に孔を加工することにより、係止ピンを孔に挿入して、前面カバーおよび後面カバーを係止する。このような係止方式はタッピングを必要とせず、係止部位が隠れて、外観の構造は簡潔なままである。該構造は、接続部位が受ける接線応力を低下させるのにも有利であり、固定構造の安定、確実さを保証している。
【図面の簡単な説明】
【００１７】
【図１】図１は、本発明の一実施例の構造概要図である。
【発明を実施するための形態】
【００１８】
以下に、本発明の図および具体的実施方式を組み合わせて、本発明についてさらに詳細に説明する。
【００１９】
図１を参照されたい。図１は、本発明の係るピンによる係止、固定構造を示している。前面カバー１０、後面カバー２０を含み、該前面カバー１０および後面カバー２０は矩形のプレート状である。前面カバー１０および後面カバー２０の４つの辺縁部位に、対応して相互に嵌め込まれる突起およびくぼみが設けられることを特徴とする。図中の前面カバー１０の突起の符号は、前面カバーの突起１１および前面カバーのくぼみ１２であり、後面カバーの突起の符号は、後面カバーの突起２１および後面カバーのくぼみ２２である。
【００２０】
突起の中央に孔３０が設けられ、４本の係止ピン４０を孔３０に挿入して、前面カバーおよび後面カバーを係止する。４本の係止ピン４０は、前面カバー１０および後面カバー２０の４辺に対応する。前面カバー１０および後面カバー２０が相互に結合するとき、前面カバーの突起１１を後面カバーのくぼみ２２内に嵌め込み、逆も同じである。このように、前面カバーおよび後面カバーにそれぞれ属する様々な部分の突起を一つ一つかみ合わせ、一体に隙間無く結合し、組み合わせる。このように接続する突起の孔３０は、完全な１つの孔路につなぐことができる。そのため、係止ピン４０をこの組み合わせてなる孔路に沿って挿入し、前面カバー１０および後面カバー２０を係止する。
【００２１】
後面カバーのくぼみの幅は突起の幅より小さく、４つの角はＬ型のくぼみである。前面カバーの突起の幅はくぼみの幅より小さく、４つの角はＬ型の突起である。
【００２２】
前面カバーおよび後面カバーを一体に結合するとき、前面カバーの突起部位の孔は、後面カバーの突起部位の孔と同軸である。
【００２３】
前面カバーのＬ型の突起部位に２つの孔を有し、２つの孔の孔路は合流しない。
【００２４】
各箇所の突起の孔は、両端がいずれも４５°に面取り加工される。
【００２５】
孔と係止ピンとの間に、滑らせるシリコーンゴムを有する。
【００２６】
係止ピンの直径はΦ２．５ｍｍである。係止ピンと孔との間はすきま嵌めであり、片側公差は０．１ｍｍである。
【００２７】
ピンによる係止、固定構造の取付方法であって、対応して設置される前面カバーおよび後面カバーの位置を合わせて結合し、前面カバーの突起部位を後面カバーのくぼみ部位に嵌め込む；圧着すると、各辺縁の突起部位の孔は、相互にその軸方向に対して１本の直線となる；１本の係止ピンを液状シリコーンゴムに浸すが、該液状シリコーンゴムは、係止ピン４０を通すとき、潤滑作用を示すことができ、係止ピン４０がより容易に装入され、４本の係止ピンをすべて装入すると、該液状シリコーンゴムが自然に硬化成型するように平らに静置し、硬化後のシリコーンゴムは固定作用を示し、係止ピンが孔内で安定して係止し、ずれないように維持することを特徴とする方法。
【００２８】
係止ピンの取付完了後、冷却してから、孔内の係止ピンの両端に再度液状シリコーンゴムを充填して密封し、自然冷却して成型する。端部を再度充填して密封することにより、係止ピンが孔内で安定して係止することを維持する。揺れたり緩んだりすることはない。
【００２９】
係止ピンの直径はΦ２．５ｍｍである。係止ピンと孔との間はすきま嵌めであり、片側公差は０．１ｍｍである。
【００３０】
各箇所の突起の孔は、両端がいずれも４５°に面取り加工され、面取りにより、係止ピンをより容易に装入することができる。装入が完了すると、係止ピンが上下の接線応力を直接受け、破壊されるのを防止する。
【００３１】
前面カバーおよび後面カバーが相互に接着する表面を、１層の接着フィルムが覆う。該接着フィルムは、一体成型技術により直接表面に成型される。該接着フィルムの厚さは０．２ｍｍであり、接着フィルムは、前面カバーおよび後面カバーの突起およびくぼみ部分を含む、前面カバーおよび後面カバーの形状に完璧に接着される。
【００３２】
前面カバーおよび後面カバーを圧着、結合するとき、相互に接着することにより、接着フィルムに圧力がかかる。接着フィルム自体が弾性を有するため、圧力を受けて、前面カバー、後面カバーに反対方向の作用力を与える。このとき、前面カバーおよび後面カバーに分類される突起およびくぼみは、相互の間で別々になる傾向を有する。これによって様々な部位に、上下に押し出す力がそれぞれ形成される。対になって存在する押し出す力は相互に相殺され、係止ピンが緩む、または圧力がかかることによる変形、さらには断裂を防止することができる。
【００３３】
同時に、この上下の作用力によって、２つの突起の接触端面で係止ピンに対する上下のせん断力作用が引き起こされる。このため、係止ピンの端面を４５°に面取り加工するのも、係止ピンが上下のせん断力を直接受けて破壊されるのを防止するのに有利である。
【００３４】
本発明は、極端な環境に適用される照明灯筐体の固定構造である。該固定構造は、組み立てる必要がある前面カバー、後面カバーの接触部位に、相互に嵌め込み、接続することができる突起およびくぼみを設計し、突起部位に孔を加工することにより、係止ピンを孔に挿入して、前面カバーおよび後面カバーを係止する。このような係止方式はタッピングを必要とせず、係止部位が隠れて、外観の構造は簡潔なままである。該構造は、接続部位が受ける接線応力を低下させるのにも有利であり、固定構造の安定、確実さを保証している。
【００３５】
以上の記載は本発明の好ましい実施例に過ぎず、本発明をどのような形式でも制限しない。本発明は好ましい実施例により上記のように開示したが、本発明を限定するものではない。当業者は本発明の技術案を逸脱しない範囲内で、上記に示した技術内容を利用して、同等に変化した同等の実施例に変更または修飾することができるが、いずれも本発明の技術案の内容を逸脱しない。本発明に基づく技術とは、以上の実施例に対して行う簡単な修正、同等の変化および修飾を指し、いずれも本発明の技術案の範囲内に属する。
【符号の説明】
【００３６】
１０  前面カバー
１１  前面カバーの突起
１２  前面カバーのくぼみ
２０  後面カバー
２１  後面カバーの突起
２２  後面カバーのくぼみ
３０  孔
４０  係止ピン
【図１】
0006493698.tif 000002